(57)【要約】【課題】劣悪な労働環境による人手作業を要することなく容易に資源ゴミ等の廃棄物を貯留でき、貯留した廃棄物を順次払い出すことができる廃棄物貯留システムを提供する。【解決手段】収集車Ｃに回収された廃棄物Ｗが貯留槽１に直接投入されて貯留される。そして、貯留された廃棄物Ｗは、必要に応じて移送コンベア３および排出コンベア４の正転運転により両者の間の排出ゲートＧから定量的に搬送コンベア５上へ排出される。その際、刃付きコンベアで構成された移送コンベア３および排出コンベア４により、各廃棄物Ｗを詰め込んだ袋が容易に破袋される。【選択図】　　　　図１
2004043040.tif 000002
【特許請求の範囲】
【請求項１】
廃棄物が投入される貯留槽に廃棄物の搬出装置が設けられた廃棄物貯留システムであって、前記搬出装置は、貯留槽の床面を成す移送コンベアと、この移送コンベアとの間に廃棄物の排出ゲートを形成するゲート装置とを備えていることを特徴とする廃棄物貯留システム。
【請求項２】
前記ゲート装置が排出ゲートの開口幅を増減可能に構成されていることを特徴とする請求項１に記載の廃棄物貯留システム。
【請求項３】
前記ゲート装置が前記移送コンベアの搬送方向の終端部に臨んで配設された排出コンベアで構成されていることを特徴とする請求項１または請求項２に記載の廃棄物貯留システム。
【請求項４】
前記移送コンベアおよび排出コンベアの少なくとも一方が刃付きコンベアで構成されていることを特徴とする請求項３に記載の廃棄物貯留システム。
【請求項５】
前記移送コンベアおよび排出コンベアの少なくとも一方の運転速度が可変に構成されていることを特徴とする請求項１〜４の何れかに記載の廃棄物貯留システム。
【請求項６】
前記貯留槽に投入された廃棄物の押圧装置が貯留槽の投入口に付設されていることを特徴とする請求項１〜５の何れかに記載の廃棄物貯留システム。
【発明の詳細な説明】
【０００１】
【発明の属する技術分野】
本発明は、廃棄物貯留システムに関し、詳しくは、回収された廃棄物を貯留して順次払い出せるようにした廃棄物貯留システムに関するものである。
【０００２】
【従来の技術】
一般に、燃えない資源ゴミであるビン、缶、プラスチックなどは、リサイクルのため分別して廃棄され、収集車等により分別状態で回収される。そして、回収された資源ゴミは、収集車によりリサイクルプラント等の処理施設に運搬され、通常、ヤード方式によって貯留される。すなわち、運搬された資源ゴミは、収集車から貯留ヤードに積み降ろされ、ショベルローダ等の重機により貯留ヤードに堆積されて貯留される。そして、この貯留ヤードに貯留された資源ゴミは、前記ショベルローダ等の重機により必要量づつ順次受入れホッパに投入され、搬送コンベア等によりリサイクルプラント側へ搬送される。
【０００３】
【発明が解決しようとする課題】
ところで、前述した貯留ヤードに堆積される資源ゴミの安息角は、例えばプラスチックの資源ゴミの場合に４５度程度である。このため、従来のヤード方式においては、資源ゴミを堆積して貯留する貯留ヤードに広いスペースが必要であり、資源ゴミの貯留効率が低いという問題がある。また、資源ゴミが貯留された貯留ヤードという臭気の漂う劣悪な環境下でショベルローダ等の重機を運転する必要があり、人手が掛かるばかりか、その労働環境が悪いという問題がある。さらに、貯留ヤード付近で作業する収集車とショベルローダ等の重機との接触事故等を回避するための安全対策に十分留意する必要がある。
【０００４】
そこで、本発明は、劣悪な労働環境による人手作業を要することなく、資源ゴミ等の廃棄物を容易に貯留でき、貯留した廃棄物を必要に応じて順次払い出すことができる廃棄物貯留システムを提供することを課題とする。
【０００５】
【課題を解決するための手段】
前述した課題を解決するための手段として、本発明に係る廃棄物貯留システムは、廃棄物が投入される貯留槽に廃棄物の搬出装置が設けられた廃棄物貯留システムであって、前記搬出装置は、貯留槽の床面を成す移送コンベアと、この移送コンベアとの間に廃棄物の排出ゲートを形成するゲート装置とを備えていることを特徴とする。
【０００６】
本発明に係る廃棄物貯留システムでは、例えば収集車に回収された資源ゴミ等の廃棄物が貯留槽に直接投入されて貯留される。そして、貯留された廃棄物は、必要に応じ、搬出装置の移送コンベアの運転に伴ない貯留槽の床面に沿ってゲート装置側へ払い出され、排出ゲートから順次定量的に排出される。
【０００７】
本発明の廃棄物貯留システムにおいて、ゲート装置が排出ゲートの開口幅を増減可能なスイング式あるいはスライド式などに構成されていると、廃棄物の排出量を増減調整でき、また、廃棄物の排出を停止することもできるので好ましい。
【０００８】
ゲート装置は、移送コンベアの搬送方向の終端部に臨んで配設された排出コンベアで構成することができる。この場合、排出コンベアの正転運転により廃棄物を円滑かつ確実に排出でき、排出コンベアの逆転運転により廃棄物の排出を停止でき、その切り替えを排出コンベアの正逆の運転制御のみで行えるので好ましい。
【０００９】
ここで、移送コンベアおよび排出コンベアの少なくとも一方が刃付きコンベアで構成されていると、その運転に伴ない排出ゲートから廃棄物を排出する際、廃棄物を詰め込んだ袋が容易に破袋されるので好ましい。また、移送コンベアおよび排出コンベアの少なくとも一方の運転速度が可変に構成されていると、廃棄物の排出量を微小に増減調整できるので好ましい。さらに、貯留槽に投入された廃棄物の押圧装置が貯留槽の投入口に付設されていると、貯留槽内の廃棄物の貯留量を増大できるので好ましい。
【００１０】
【発明の実施の形態】
以下、図面を参照して本発明に係る廃棄物貯留システムの実施の形態を説明する。参照する図面において、図１は一実施形態に係る廃棄物貯留システムの概略構造を示す断面図である。
【００１１】
一実施形態に係る廃棄物貯留システムは、例えば、燃えない資源ゴミとして分別回収されたプラスチック廃棄物をリサイクルプラント等において一時的に貯留する設備として使用される。この廃棄物貯留システムは、図１に示すように、例えば袋詰めされたプラスチックの廃棄物Ｗがパッカ車などの収集車Ｃから直接投入される貯留槽１を備えている。
【００１２】
貯留槽１は、図示のように地面ＧＬより上方に構成されており、上部に開口する投入口１Ａに連続するように隔壁１Ｂ，１Ｃで仕切られている。そして、貯留槽１の投入口１Ａには、投入された廃棄物Ｗを押圧して貯留槽１内に押し込む押圧装置２が付設されている。また、貯留槽１内には、廃棄物Ｗの搬出装置として、移送コンベア３および排出コンベア４が設けられている。
【００１３】
前記押圧装置２は、投入口１Ａの縁に沿う水平軸廻りに回動自在に支持された押圧部材２Ａと、この押圧部材２Ａを回動操作する油圧シリンダ２Ｂとを備えており、油圧シリンダ２Ｂの伸長動作により押圧部材２Ａが投入口１Ａ内に回動して廃棄物Ｗを押し込み、油圧シリンダ２Ｂの収縮動作により押圧部材２Ａが投入口１Ａから退避するように構成されている。
【００１４】
前記移送コンベア３は、貯留槽１の床面の全面に沿って配設されており、その搬送方向の始端部を貯留槽１の投入口１Ａの下方に臨ませている。この移送コンベア３は、廃棄物Ｗの単位時間当たりの搬送量を増減調整できるように、運転速度が可変に構成されている。
【００１５】
前記排出コンベア４は、移送コンベア３の搬送方向の終端部の上方に起立状態で配設されている。この排出コンベア４は、移送コンベア３により搬送される廃棄物Ｗを定量的に下方の搬送コンベア５上に排出させるゲート装置として機能するように、その下端部と移送コンベア３の終端部との間に廃棄物Ｗの排出ゲートＧを形成している。そして、この排出コンベア４は、移送コンベア３により搬送される廃棄物Ｗを排出ゲートＧに向けて円滑に送り込めるように、上端部が貯留槽１の内側へ向く傾斜状態で配設されている。
【００１６】
前記排出コンベア４は、排出ゲートＧの開口幅を増減調整できるように、その上端部を支点として揺動可能なスイング式に構成されており、図示しない駆動装置により移送コンベア３との間の挟角が５０〜７０度程度の範囲で調節される。この排出コンベア４は、廃棄物Ｗを排出ゲートＧへ送り込んで排出させる正転運転と、廃棄物Ｗの排出を停止させる逆転運転とに運転方向が切り替え可能に構成されている。
【００１７】
前記移送コンベア３および排出コンベア４は、それぞれ幅広の単一のコンベアで構成してもよいし、所定幅の複数のコンベアを幅方向に並べて構成してもよい。この移送コンベア３および排出コンベア４は、袋詰めされたプラスチックの廃棄物Ｗを排出ゲートＧから排出する際に、その袋を破袋するように、刃付きのチェーンコンベアで構成されている。
【００１８】
ここで、前述した押圧装置２、移送コンベア３、排出コンベア４、搬送コンベア５等の作動および運転は、オペレータが貯留槽１内の廃棄物Ｗの貯留状態を監視カメラ等によりモニタしながら個々に制御してもよいが、一実施形態においては、貯留槽１内の廃棄物Ｗの貯留状態を検出するレベルセンサの検出信号や、リサイクルプラント側からの要求信号に基づいて自動制御される。
【００１９】
例えば、押圧装置２は、貯留槽１の投入口１Ａ付近に設置された図示しないレベルセンサの検出信号に基づき、投入口１Ａ付近に廃棄物Ｗが詰まっているときに油圧シリンダ２Ｂが伸長動作して押圧部材２Ａが廃棄物Ｗを貯留槽１内に押し込むように制御される。また、移送コンベア３は、貯留槽１の投入口１Ａの下方位置に設置された図示しないレベルセンサの検出信号に基づき、移送コンベア３の搬送方向の始端部上に廃棄物Ｗが存在しないときには運転が停止され、始端部上に廃棄物Ｗが投入されると正転運転される。
【００２０】
ここで、排出コンベア４は、通常、貯留槽１内に廃棄物Ｗを貯留させるリサイクルプラント側からの貯留要求信号に基づいて逆転運転され、貯留槽１の廃棄物Ｗを排出させるリサイクルプラント側からの排出要求信号に基づいて正転運転される。また、この排出コンベア４は、貯留槽１の排出コンベア４の近傍に設置された図示しないレベルセンサの検出信号に基づき、移送コンベア３の搬送方向の終端部上に廃棄物Ｗが存在しないときには運転が停止される。なお、この排出コンベア４は、リサイクルプラント側からの貯留要求信号に基づき、排出ゲートＧを閉じるように揺動操作され、かつ、運転が停止されるように構成されていてもよい。
【００２１】
一方、貯留槽１の排出ゲートＧから排出される廃棄物Ｗをリサイクルプラント側へ搬送する搬送コンベア５は、リサイクルプラント側からの貯留要求信号に基づいて運転が停止され、リサイクルプラント側からの排出要求信号に基づいて正転運転される。
【００２２】
以上のように構成された一実施形態の廃棄物貯留システムでは、パッカ車等の収集車Ｃに回収された袋詰めのプラスチックの多数の廃棄物Ｗが収集車Ｃから貯留槽１の投入口１Ａを経由して貯留槽１内に直接投入される。このように、一実施形態の廃棄物貯留システムにおいては、従来のように多数の廃棄物Ｗを貯留ヤードに堆積させる作業が不要となり、臭気の漂う劣悪な労働環境での人手作業が不要となる。
【００２３】
ここで、貯留槽１内に投入された廃棄物Ｗが移送コンベア３の搬送方向の始端部上に堆積すると、それを検出する図示しないレベルセンサの検出信号に基づいて移送コンベア３が正転運転される。その際、リサイクルプラント側からの貯留要求信号に基づいて排出コンベア４が逆転運転される。その結果、貯留槽１内に投入された廃棄物Ｗは、移送コンベア３の搬送方向の終端部に搬送されつつ順次貯留槽１内に貯留される。
【００２４】
そして、貯留槽１の投入口１Ａ付近まで廃棄物Ｗが詰まると、それを検出する図示しないレベルセンサの検出信号に基づき、押圧装置２の油圧シリンダ２Ｂが伸長動作して押圧部材２Ａが廃棄物Ｗを貯留槽１内に押し込む。その結果、貯留槽１内に貯留される廃棄物Ｗの貯留量が増大する。
【００２５】
ここで、貯留槽１内に貯留された廃棄物Ｗを排出させる排出要求信号がリサイクルプラント側から出力されると、移送コンベア３の正転運転に協働するように排出コンベア４および搬送コンベア５が正転運転される。その結果、貯留槽１内に貯留された多数の袋詰めの廃棄物Ｗは、移送コンベア３の終端部と排出コンベア４の下端部との間の排出ゲートＧに順次送り込まれ、この排出ゲートＧを通して定量的に搬送コンベア５上へ排出される。その際、移送コンベア３および排出コンベア４が刃付きコンベアで構成されているため、各廃棄物Ｗを詰め込んだ袋が容易に破袋される。そして、破袋された袋から流出したプラスチックの廃棄物が搬送コンベア５により図示しないリサイクルプラント側へ搬出される。
【００２６】
すなわち、一実施形態の廃棄物貯留システムによれば、収集車Ｃに回収された袋詰めのプラスチックの廃棄物Ｗを貯留槽１に直接投入して貯留することができる。その際、押圧装置２の作動により貯留槽１内に廃棄物Ｗを押し込んでその貯留量を増大させることができる。また、必要に応じて移送コンベア３および排出コンベア４を正転運転させることで、貯留槽１内に貯留された多数の廃棄物Ｗを移送コンベア３と排出コンベア４との間の排出ゲートＧからリサイクルプラント側へ定量的に確実に排出することができる。その際、移送コンベア３および排出コンベア４が刃付きコンベアにより構成されているため、廃棄物Ｗを詰め込んだ袋を容易に破袋することができる。
【００２７】
また、排出コンベア４が移送コンベア３との間の排出ゲートＧの開口幅を増減可能なスイング式に構成されているため、リサイクルプラント側への廃棄物Ｗの排出量を増減調整でき、排出ゲートＧを閉じることで、廃棄物Ｗの排出を停止することもできる。さらに、移送コンベア３の運転速度が可変に構成されているため、リサイクルプラント側への廃棄物Ｗの排出量を微小に増減調整することができる。
【００２８】
図２は、本発明の廃棄物貯留システムの他の実施形態を示している。この廃棄物貯留システムにおいては、コンクリート造りの貯留槽１１が建屋１２と一体に構成されている。貯留槽１１には、図１に示した移送コンベア３、排出コンベア４および搬送コンベア５と同様の移送コンベア１３、排出コンベア１４および搬送コンベア１５が設置されている。
【００２９】
ここで、建屋１２には、貯留槽１１の投入口を開閉する巻き上げ式の開閉シャッタ１２Ａが移送コンベア１３の長手方向に沿って設けられている。また、貯留槽１１には、移送コンベア１３上に投入された多数の廃棄物Ｗを位置規制するため、移送コンベア１３の搬送方向の始端部に向かって突出する仕切壁１１Ａと、搬送方向の終端部側の排出コンベア１４の近傍に突出する仕切壁１１Ｂとが設けられている。
【００３０】
図２に示した他の実施形態の廃棄物貯留システムにおいても、図１に示した一実施形態の廃棄物貯留システムと同様の作用効果が得られる。ここで、開閉シャッタ１２Ａにより開閉される貯留槽１１の投入口が移送コンベア１３の長手方向に沿って設けられているため、図１に示したパッカ車等の収集車Ｃは、移送コンベア１３の搬送方向の始端部に限らず、その中央部や終端部にも廃棄物Ｗを投入することができ、貯留槽１１内に廃棄物Ｗを一層均一に貯留させることができる。
【００３１】
本発明の廃棄物貯留システムは、図１および図２に示した実施形態に限定されるものではない。例えば、実施形態では、廃棄物Ｗの単位時間当たりの搬送量を増減調整できるように移送コンベア３，１３の運転速度を可変に構成したが、排出コンベア４，１４の運転速度を可変に構成してもよいし、移送コンベア３，１３および排出コンベア４，１４の両方の運転速度を可変に構成してもよい。また、排出コンベア４，１４は、排出ゲートＧの開口幅を増減可能なスイング式またはスライド式のゲート板に変更することも可能である。さらに、移送コンベア３および排出コンベア４の少なくとも一方が刃付きコンベアで構成されていれば、効果的に破袋することができる。
【００３２】
また、貯留槽１，１１に貯留される廃棄物Ｗとしては、袋詰めされたプラスチックが特に効果的であるが、袋詰めされていない廃棄物や、プラスチック以外の例えばビン、缶などの他の種類の廃棄物でも良い。
【００３３】
【発明の効果】
以上説明したように、本発明に係る廃棄物貯留システムでは、例えば収集車に回収された資源ゴミ等の廃棄物が貯留槽に直接投入されて貯留される。そして、貯留された廃棄物は、必要に応じ、搬出装置の移送コンベアの運転に伴ない貯留槽の床面に沿ってゲート装置側へ払い出され、排出ゲートから順次定量的に排出される。従って、資源ゴミ等の廃棄物を容易に貯留することができ、貯留した廃棄物を必要に応じて順次払い出すことができる。また、従来のようにショベルローダ等の重機によって貯留ヤードに資源ゴミ等の廃棄物を堆積させ、この廃棄物を必要に応じて順次受入れホッパに投入する作業が不要であるため、臭気の漂う劣悪な労働環境による人手作業を廃止することができる。
【図面の簡単な説明】
【図１】本発明の一実施形態に係る廃棄物貯留システムの概略構成を示す断面図である。
【図２】本発明の他の実施形態に係る廃棄物貯留システムの概略構成を示す断面図である。
【符号の説明】
１…貯留槽、２…押圧装置、２Ａ…押圧部材、２Ｂ…油圧シリンダ、３…移送コンベア、４…排出コンベア、５…搬送コンベア、１１…貯留槽、１１Ａ…仕切壁、１１Ｂ…仕切壁、１２…建屋、１２Ａ…開閉シャッタ、１３…移送コンベア、１４…排出コンベア、１５…搬送コンベア、Ｇ…排出ゲート、Ｃ…収集車、Ｗ…廃棄物。
【図１】
2004043040.tif 000003
【図２】
2004043040.tif 000004